(57)【要約】【課題】メニュー画面において項目の視認性を低下させないようにしつつ、ユーザがメニュー画面から機能に対応する項目を選択する際の利便性を向上させる。【解決手段】携帯電話機の制御部は、操作部におけるメニューキーから、押下されたことを示す信号が入力されたことを検出すると、メニュー画面における各項目の表示サイズを設定する。使用頻度が高い項目は表示サイズ（大）で表示することに決定する。操作部における方向キーが右側に押下される度に、携帯電話機の制御部は、カーソルを、表示サイズ（大）で表示されている項目間で順方向に移動させる（ステップＳ５，Ｓ６）。また、方向キーが左側に押下される度に、制御部１１０は、カーソルを、表示サイズ（大）で表示されている項目間で逆方向に移動させる（ステップＳ５，Ｓ６）。【選択図】図６
2008242583.tif 000002
【特許請求の範囲】
【請求項１】
決定キーが押下されるとメニュー画面におけるカーソルで指定されている項目を選択する携帯端末装置の表示画面に、機能選択のための複数の項目を含むメニュー画面を表示するメニュー表示方法において、
各機能に対応した各項目の選択履歴を記憶し、
前記履歴情報記憶手段に記憶されている選択履歴に、所定の閾値以上の回数の選択がなされたことを示す情報が設定されている場合に、その情報に対応する項目を強調表示し、
カーソル移動キーが押下されると、メニュー画面における強調表示されている項目間でカーソルを移動させる
ことを特徴とするメニュー表示方法。
【請求項２】
順次カーソル移動キーが押下された場合には、メニュー画面における全ての項目間でカーソルを移動させる
請求項１記載のメニュー表示方法。
【請求項３】
履歴情報記憶手段に記憶されている選択履歴に、所定の閾値以上の回数の選択がなされたことを示す情報が設定されている場合に、その情報に対応する項目を所定サイズよりも大きい第１のサイズで表示し、
履歴情報記憶手段に記憶されている選択履歴に、所定の閾値未満の回数の選択がなされたことを示す情報が設定され、かつ、最後に使用されたときからの経過時間が所定時間以上であることを示す情報が設定されている場合には、その情報に対応する項目を所定サイズよりも小さい第２のサイズで表示する
請求項１または請求項２記載のメニュー表示方法。
【請求項４】
履歴情報記憶手段に記憶されている選択履歴に、所定の閾値未満の回数の選択がなされたことを示す情報が設定され、かつ、最後に使用されたときからの経過時間が所定時間未満であることを示す情報が設定されている場合には、その情報に対応する項目を、第１のサイズと第２サイズの中間の所定サイズで表示する
請求項３記載のメニュー表示方法。
【請求項５】
表示画面に機能選択のための複数の項目を含むメニュー画面を表示するメニュー表示機能を備え、決定キーが押下されるとカーソルで指定されている項目を選択する携帯端末装置において、
各機能に対応した各項目の選択履歴を記憶する履歴情報記憶手段と、
前記履歴情報記憶手段に記憶されている選択履歴に、所定の閾値以上の回数の選択がなされたことを示す情報が設定されている場合に、その情報に対応する項目を強調表示する項目強調表示手段と、
カーソル移動キーが押下されると、メニュー画面における強調表示されている項目間でカーソルを移動させる制御を行うカーソル移動制御手段とを備えた
ことを特徴とする携帯端末装置。
【請求項６】
カーソル移動制御手段は、順次カーソル移動キーが押下された場合には、メニュー画面における全ての項目間でカーソルを移動させる制御を行う
請求項５記載の携帯端末装置。
【請求項７】
カーソル移動キーおよび順次カーソル移動キーとして、異なる４方向に押下可能であって、押下された方向を特定しうる信号を出力する方向キーを用いる
請求項６記載の携帯端末装置。
【発明の詳細な説明】
【技術分野】
【０００１】
本発明は、携帯電話機等の携帯端末装置の表示画面に機能選択のためのメニューを表示するメニュー表示方法、およびそのようなメニュー表示方法が適用される携帯端末装置に関する。
【背景技術】
【０００２】
携帯電話機等の携帯端末装置が有する機能が多くなってきているので、また、機能が複雑化しているので、ユーザに機能を選択させるためのメニューに掲示される項目（文字やアイコン等）が多くなっている。携帯端末装置は小型化されているので、携帯端末装置の表示画面のサイズには限度がある。従って、多項目のメニューを表示画面に表示するために、メニュー画面を複数画面に分割したり、項目の文字やアイコンのサイズを小さくしたりする必要がある。
【０００３】
しかし、項目の文字やアイコンのサイズを小さくして１つのメニュー画面内に多数の項目を表示するようにした場合には、視認性が低下するので、所望の機能を選択するユーザにとって不便になる。また、各々のユーザが主に使用する機能は、ユーザ毎に異なる。あるユーザが主に使用する機能を表す項目がメニューにおける後ろの方に存在する場合には、ユーザは、所望の機能を選択するために、操作キーを何回も操作しなければならない。
【０００４】
上記の不便さ等を解消するために、メニュー画面において、ユーザが頻繁に使用する機能に対応する項目を先の方に表示させるように制御する携帯電話機がある（例えば、特許文献１参照。）。しかし、そのような携帯電話機では、使用に伴ってメニュー画面における項目の表示位置が変わるので、主に使用する機能に対応する項目以外の項目が、メニュー画面におけるどの位置にあったのかわかりづらくなってしまう。
【０００５】
また、特許文献１には、メニュー画面において、ユーザが頻繁に使用する機能に対応する項目の文字の大きさを大きくするように制御することも開示されている。そのような制御によれば、ユーザが主に使用する機能の選択が容易になる。
【０００６】
【特許文献１】特開２００４−１７８３６３号公報（段落０００７−００１０）
【発明の開示】
【発明が解決しようとする課題】
【０００７】
しかし、特許文献１に記載された携帯電話機では、ユーザが頻繁に使用する機能に対応する項目の文字の大きさを大きくして視認性を低下させないようにしているが、ユーザがそれらの項目を選択する利便性については考慮されていない。特許文献１には、ユーザが頻繁に使用する機能に対応する項目を先の方に表示させることが記載されているが、そのような制御を行うと、上記のように、ユーザが主に使用する機能に対応する項目以外の項目が、メニュー画面におけるどの位置にあったのかわかりづらくなってしまう。
【０００８】
そこで、本発明は、メニュー画面において項目の視認性を低下させないようにしつつ、ユーザがメニュー画面から機能に対応する項目を選択する際の利便性を向上させることができる携帯端末装置のメニュー表示方法および携帯端末装置を提供することを目的とする。
【課題を解決するための手段】
【０００９】
本発明によるメニュー表示方法は、決定キーが押下されるとメニュー画面におけるカーソルで指定されている項目を選択する（例えば、項目に対応する機能を選択して機能を働かせる）携帯端末装置の表示画面に、機能選択のための複数の項目を含むメニュー画面を表示するメニュー表示方法であって、各機能に対応した各項目の選択履歴（例えば、メニュー実行履歴情報２００）を記憶し、前記履歴情報記憶手段に記憶されている選択履歴に、所定の閾値（例えば、１０）以上の回数の選択がなされたことを示す情報が設定されている場合に、その情報に対応する項目を強調表示（例えば、「大」サイズで表示）し、カーソル移動キーが押下（例えば、方向キー１６が左側または右側に押下）されると、メニュー画面における強調表示されている項目間でカーソルを移動させることを特徴とする。
【００１０】
順次カーソル移動キーが押下（例えば、方向キー１６が上側または下側に押下）された場合には、メニュー画面における全ての項目間でカーソルを移動させるようにしてもよい。
【００１１】
履歴情報記憶手段に記憶されている選択履歴に、所定の閾値以上の回数の選択がなされたことを示す情報が設定されている場合に、その情報に対応する項目を所定サイズ（例えば、表示サイズ「普通」）よりも大きい第１のサイズ（例えば、表示サイズ「大」）で表示し、履歴情報記憶手段に記憶されている選択履歴に、所定の閾値未満の回数の選択がなされたことを示す情報が設定され、かつ、最後に使用されたときからの経過時間が所定時間（例えば、２ヶ月）以上であることを示す情報が設定されている場合には、その情報に対応する項目を所定サイズよりも小さい第２のサイズ（例えば、表示サイズ「小」）で表示するようにしてもよい。
【００１２】
履歴情報記憶手段に記憶されている選択履歴に、所定の閾値未満の回数の選択がなされたことを示す情報が設定され、かつ、最後に使用されたときからの経過時間が所定時間未満であることを示す情報が設定されている場合には、その情報に対応する項目を、第１のサイズと第２サイズの中間の所定サイズ（例えば、表示サイズ「普通」）で表示するようにしてもよい。
【００１３】
本発明による携帯端末装置は、表示画面に機能選択のための複数の項目を含むメニュー画面を表示するメニュー表示機能を備え、決定キーが押下されるとカーソルで指定されている項目を選択する携帯端末装置であって、各機能に対応した各項目の選択履歴（例えば、メニュー実行履歴情報２００）を記憶する履歴情報記憶手段（例えば、メモリ１２０）と、前記履歴情報記憶手段に記憶されている選択履歴に、所定の閾値以上の回数の選択がなされたことを示す情報が設定されている場合に、その情報に対応する項目を強調表示する項目強調表示手段（例えば、制御部１２０によって制御されるディスプレイ１２）と、カーソル移動キーが押下されると、メニュー画面における強調表示されている項目間でカーソルを移動させる制御を行うカーソル移動制御手段（例えば、制御部１２０）とを備えたことを特徴とする。
【００１４】
カーソル移動制御手段が、順次カーソル移動キーが押下された場合には、メニュー画面における全ての項目間でカーソルを移動させる制御を行うように構成されていてもよい。
【００１５】
カーソル移動キーおよび順次カーソル移動キーとして、異なる４方向に押下可能であって、押下された方向を特定しうる信号を出力する方向キーを用いるようにしてもよい。
【発明の効果】
【００１６】
本発明によれば、メニュー画面における配列を変更することなく使用頻度が高い項目が強調表示されるので、ユーザが主に使用する機能に対応する項目以外の項目がメニュー画面におけるどの位置にあったのかわかりづらくなってしまうという問題を生じさせることなく、ユーザが頻繁に使用する機能に対応する項目を見やすくすることができ、かつ、メニュー画面における強調表示されている項目間でカーソルを移動させることによって、ユーザがメニュー画面から機能に対応する項目を選択する際の利便性を向上させることができる。
【発明を実施するための最良の形態】
【００１７】
以下、本発明の実施の形態を図面を参照して説明する。図１は、本発明を適用可能な携帯端末装置の一例である携帯電話機の外観を示す正面図である。なお、携帯端末装置は、携帯電話機に限らず、例えば、ＰＤＡ（Personal Digital Assistants ）端末であってもよい。
【００１８】
図１には、折り畳み型の携帯電話機を開いた状態が例示されているが、表示部側筐体には、スピーカ１１およびＬＣＤ等のディスプレイ（表示部）１２が設けられている。操作部側筐体には、マイクロフォン１３、メニュー画面をディスプレイ１２に表示させるためのメニューキー１４、例えばメニュー画面における項目の選択を決定するための決定キー１５、左右および上下に押下されることが可能な方向キー１６、電源キー１７、通話キー１８およびテンキー１９が設けられている。なお、方向キー１６が押下される左右とは、図１における左側および右側であり、上下とは、図１における上側および下側である。
【００１９】
図２は、携帯電話機１０の回路構成例を示すブロック図である。図２に示すように、携帯電話機１０は、電波の送受信を行うアンテナ７０と、制御部１１０と、メモリ１２０と、無線通信部１３０と、操作部５０とを備えている。操作部５０は、図１に示された各キーを含む部分に相当するが、図１では、本発明に関連する一部のみが示されている。
【００２０】
制御部１１０は、例えばマイクロコンピュータと周辺回路とで実現される。制御部１１０は、携帯電話機１０が備える各部の制御を行う。具体的には、制御部１１０は、メモリ１２０に格納されているプログラムに従って無線通信部１３０その他のブロックの制御を行う。
【００２１】
アンテナ７０を介して無線信号の送受信を行う無線通信部１３０は、信号の変復調、周波数変換および電力増幅等を行う。すなわち、無線通信部１３０は、無線信号を、アンテナ７０を介して受信して復調する処理を行う。また、無線通信部１３０は、制御部１１０から出力された信号にもとづく変調処理を行い、アンテナ７０を介して無線信号を送信する処理を行う。
【００２２】
図２には、操作部５０におけるメニューキー１４および決定キー１５とともに、方向キー１６が左右および上下に倒されたときにその旨を示す信号を出力する部分が、左スイッチ１６ａ、右スイッチ１６ｂ、上スイッチ１６ｃおよび下スイッチ１６ｄとして示されている。
【００２３】
図３は、ユーザが機能を選択するためのメニュー画面の表示例を示す説明図である。メニュー画面は、ユーザがメニューキー１４を押下したことに応じて、ディスプレイ１２に表示される。
【００２４】
図３に示す例では、「メニュー２」および「メニュー３」がユーザが通常の使用頻度で用いる項目である。また、「メニュー１」、「メニュー４」および「メニュー６」がユーザが頻繁に用いる項目（使用頻度が高い項目）である。「メニュー５」はユーザによる使用頻度が低い項目である。なお、通常の使用頻度とは、使用頻度が、頻繁に用いる項目に区分けされるための閾値未満であることを意味する。使用頻度が低いとは、使用頻度が、頻繁に用いる項目に区分けされるための閾値未満であり、かつ、最後に使用されたときからの経過時間が所定時間以上であることを意味する。また、項目の使用頻度が高い／通常／低いということは、項目が表す機能の使用頻度が高い／通常／低いということでもある。
【００２５】
図４は、メモリ１２０に格納されている表示サイズ設定情報１００の一例を示す説明図である。表示サイズ設定情報１００は、メニュー画面における項目としての文字のサイズと使用頻度の閾値等との関係を示す情報である。表示サイズ設定情報は、メモリ１２０における書換不能な領域（すなわち、ＲＯＭ）に格納されているが、書換可能な領域（例えば、フラッシュメモリ）に格納されていてもよい。
【００２６】
図４に示す例では、高い使用頻度に応じた文字サイズ（表示サイズ（大））すなわちフォントサイズ「５」が、使用頻度すなわち項目に対応する機能を実行させた回数（実行回数）１０以上に対応する。通常の使用頻度に応じた表示サイズ（表示サイズ（通常））すなわちフォントサイズ「３」が、実行回数９以下に対応する。低い使用頻度に応じた表示サイズ（表示サイズ（小））すなわちフォントサイズ「１」が、実行回数９以下で、かつ、実行日時が２ヶ月以上前であることに対応する。図４に示す例では、高い使用頻度と通常の使用頻度とを区分けするための閾値は「１０」である。
【００２７】
なお、使用頻度に応じて表示サイズを変更するのではなく、色等の他の区分け方法を用いてもよい。例えば、高い使用頻度の項目を赤色等の目立つ色で表示し、通常の使用頻度の項目を他の有彩色で表示し、低い使用頻度の項目を黒色表示（背景が白の場合）する。
【００２８】
図５は、メモリ１２０に格納されているメニュー実行履歴情報２００の一例を示す説明図である。メニュー実行履歴情報２００は、メニュー画面における各項目のそれぞれに対応した実行回数、および最後に使用されたとき（最近の実行日時）を示す情報である。なお、図５には、実行回数および最近の実行日時に応じた表示サイズも記載されている。
【００２９】
次に、この実施の形態の携帯電話機の動作を、図６のフローチャートを参照して説明する。
【００３０】
携帯電話機１０において、制御部１１０は、メニューキー１４から、押下されたことを示す信号が入力されたことを検出すると（ステップＳ１）、メニュー画面における各項目のそれぞれについて、メモリ１２０に記憶されているメニュー実行履歴情報２００における実行回数と最近の実行日時とを入力する（ステップＳ２）。
【００３１】
次いで、制御部１１０は、メニュー画面における各項目のそれぞれについて、メニュー実行履歴情報２００における実行回数と最近の実行日時と、表示サイズ設定情報１００とを比較する。そして、比較結果に応じて、メニュー画面における各項目の表示サイズを設定する（ステップＳ３）。
【００３２】
図６に示す処理は、２００７年１月３０日に実行されたとする。図５に示す例では、「メニュー１」の実行回数は３５であり、高い使用頻度と通常の使用頻度とを区分けするための閾値以上であるから、表示サイズは「大」に設定される。「メニュー２」の実行回数は８であり、高い使用頻度と通常の使用頻度とを区分けするための閾値未満であるから、表示サイズは「通常」に設定される。「メニュー３」の実行回数は４であり、高い使用頻度と通常の使用頻度とを区分けするための閾値未満であるから、表示サイズは「通常」に設定される。
【００３３】
「メニュー４」の実行回数は１０であり、高い使用頻度と通常の使用頻度とを区分けするための閾値以上であるから、表示サイズは「大」に設定される。「メニュー５」の実行回数は２であり、かつ、実行日時が２ヶ月以上前であるから、表示サイズは「小」に設定される。「メニュー５」の実行回数は２４であり、高い使用頻度と通常の使用頻度とを区分けするための閾値以上であるから、表示サイズは「大」に設定される。
【００３４】
そして、制御部１１０は、各項目の表示サイズをステップＳ３の処理で設定された表示サイズにしたメニュー画面を作成し、メニュー画面を構成する画像信号をディスプレイ１２に出力する。ディスプレイ１２は、入力された画像信号に従った表示を行う。すなわち、メニュー画面を表示する（ステップＳ４）。
【００３５】
メニュー実行履歴情報２００が図５に示されたような情報である場合には、制御部１１０は、ディスプレイ１２に、図３に示されたような、「メニュー１」、「メニュー４」および「メニュー６」が大サイズで強調表示された表示を行わせることになる。また、制御部１１０は、メニュー画面における各項目のうち、例えば枠部分の色を他の項目の枠部分の色と異ならせることによって、選択されうる項目を表示させるのであるが、図３には、「メニュー１」が選択されうる項目として表示されている例が示されている。その状態で、ユーザが決定キー１５を押下すると、制御部１１０は、「メニュー１」として表示されている機能を働かせる。選択されうる項目としての表示箇所（例えば、枠部分の色が異なっている箇所）を、以下、カーソルまたはフォーカスという。なお、機能を働かせることには、実際に機能を実現するための制御を実行することの他、他のメニュー画面（下層のメニュー画面、すなわち選択された項目に関するより詳細な項目を含むメニュー画面）に切り替えること等も含まれる。
【００３６】
ユーザが方向キー１６を押下すると、制御部１１０は、カーソルを移動させる。すなわち、カーソルを移動させた新たなメニュー画面を作成し、作成したメニュー画面を構成する画像信号をディスプレイ１２に出力する。
【００３７】
具体的には、方向キー１６が右側に押下される度に、すなわち、右スイッチ１６ｂから、押下されたことを示す信号が入力される度に、制御部１１０は、カーソル（フォーカス）を、表示サイズ（大）で表示されている項目間で順方向に移動させる（ステップＳ５，Ｓ６）。すなわち、「メニュー１」→「メニュー４」→「メニュー６」→「メニュー１」・・・のようにカーソルを移動させる。また、方向キー１６が左側に押下される度に、すなわち、左スイッチ１６ａから、押下されたことを示す信号が入力される度に、制御部１１０は、カーソルを、表示サイズ（大）で表示されている項目間で逆方向に移動させる。すなわち、「メニュー１」→「メニュー６」→「メニュー４」→「メニュー１」・・・のようにカーソルを移動させる（ステップＳ５，Ｓ６）。
【００３８】
なお、制御部１１０は、方向キー１６が右側に押下されると、または方向キー１６が左側に押下されると、カーソルを１回だけ移動させる。例えば、「メニュー１」→「メニュー４」に移動させたり、「メニュー１」→「メニュー６」に移動させる。よって、ユーザが方向キー１６を右側に押下した直後に左側に押下した場合には、カーソルは元の状態に戻る。
【００３９】
また、方向キー１６が上側に押下される度に、すなわち、上スイッチ１６ｃから、押下されたことを示す信号が入力される度に、制御部１１０は、カーソル（フォーカス）を、メニュー画面における全ての項目間で順方向に移動させる（ステップＳ５，Ｓ７）。すなわち、「メニュー１」→「メニュー２」→「メニュー３」→「メニュー４」→「メニュー５」→「メニュー６」→「メニュー１」・・・のようにカーソルを移動させる。また、方向キー１６が下側に押下される度に、すなわち、下スイッチ１６ｄから、押下されたことを示す信号が入力される度に、制御部１１０は、カーソルを、メニュー画面における全ての項目間で逆方向に移動させる（ステップＳ５，Ｓ７）。すなわち、「メニュー１」→「メニュー６」→「メニュー５」→「メニュー４」→「メニュー３」→「メニュー２」→「メニュー１」・・・のようにカーソルを移動させる。
【００４０】
なお、制御部１１０は、方向キー１６が上側に押下されると、または方向キー１６が下側に押下されると、カーソルを１回だけ移動させる。例えば、「メニュー１」→「メニュー２」に移動させたり、「メニュー１」→「メニュー６」に移動させる。よって、ユーザが方向キー１６を上側に押下した直後に下側に押下した場合には、カーソルは元の状態に戻る。
【００４１】
また、方向キー１６が右側に押下されて、例えば、「メニュー１」→「メニュー４」にカーソルを移動させた直後に方向キー１６が上側に押下されると、カーソルは、「メニュー４」→「メニュー５」に移動する。
【００４２】
そして、決定キー１５が押下されると、すなわち、決定キー１５から、押下されたことを示す信号が入力されると、制御部１１０は、カーソルで示されている項目で表される機能を働かせる（ステップＳ８，Ｓ９）。
【００４３】
また、制御部１１０は、メニュー実行履歴情報２００における働かせた機能に対応する項目についての実行回数と最近の実行日時とを更新する（ステップＳ１０）。例えば、２００７年１月３０日に図６に示す処理が実行され、実行開始時のメニュー実行履歴情報２００が図５に示されたようであり、「メニュー２」の機能を働かせた場合には、メニュー実行履歴情報２００における「メニュー２」の実行回数を９に更新し、最近の実行日時を、２００７年１月３０日の機能を働かせた時点の時刻に更新する。
【００４４】
以上のように、この実施の形態では、制御部１１０は、実行回数が閾値以上である項目を表示サイズ（大）で表示させる制御を行い、かつ、所定のカーソル移動キーが押下（この例では、方向キー１６を右方向または左方向に押下）されると、表示サイズ（大）で表示されている項目間でカーソルを移動させる。よって、ユーザによる使用頻度が高い項目のみを選択可能にすることができ、機能選択の際のユーザの利便性が向上する。
【００４５】
また、所定の順次カーソル移動キーが押下（この例では、方向キー１６を上方向または下方向に押下）された場合には、全ての項目間でカーソルを移動させる。よって、ユーザが、使用頻度が高い項目のみを選択できる環境を維持しつつ、任意の項目を選択できる。
【００４６】
また、使用頻度等に応じてメニュー画面における項目の表示サイズに段階（上記の例では、「大」、「普通」、「小」）を設けることによって、ユーザにとって、より把握しやすいメニュー画面を提供できる。なお、段階は３段階よりも多くてもよく、「小」サイズを「表示せず」に代えてもよい。
【００４７】
また、上記の実施の形態では、方向キー１６が左右方向に押下されると、制御部１１０は、使用頻度が高い項目間でカーソルを順方向または逆方向に移動させたが、例えば、方向キー１６が右方向に押下されると、制御部１１０は、使用頻度が高い項目間でカーソルを順方向に移動させ、方向キー１６が左方向に押下されると、制御部１１０は、通常の使用頻度の項目間（または、通常の使用頻度と低い使用頻度との双方を含む項目間）でカーソルを順方向に移動させるように制御してもよい。そのように制御する場合には、メニュー画面の項目選択すなわち機能選択に関するユーザ操作の種類を減らすことができる。なお、そのように制御する場合には、使用頻度が高い項目を逆方向に遡ることはできないが、項目を一巡すると、先頭の項目にカーソルが位置する。
【００４８】
また、上記の実施の形態では、「メインメニュー」（図３参照）について使用頻度が高い項目間でカーソルを順方向または逆方向に移動させたが、メインメニュー画面に表示されている項目が選択されると、下層のメニュー画面が表示される場合に、下層のメインメニュー画面に対して本発明を適用することができる。
【産業上の利用可能性】
【００４９】
本発明は、表示部に機能選択等のためのメニュー画面を表示する携帯電話機等の携帯端末装置において好適に適用される。
【図面の簡単な説明】
【００５０】
【図１】本発明を適用可能な携帯電話機の外観を示す正面図である。
【図２】携帯電話機の回路構成例を示すブロック図である。
【図３】メニュー画面の表示例を示す説明図である。
【図４】表示サイズ設定情報の一例を示す説明図である。
【図５】メニュー実行履歴情報の一例を示す説明図である。
【図６】携帯電話機のメニュー選択に関わる動作を示すフローチャートである。
【符号の説明】
【００５１】
１０    携帯電話機
１１    スピーカ
１２    ディスプレイ
１３    マイクロフォン
１４    メニューキー
１５    決定キー
１６    方向キー
１７    電源キー
１８    通話キー
１９    テンキー
５０    操作部
１００  表示サイズ設定情報
１１０  制御部
１２０  無線通信部
２００  メニュー実行履歴情報
【図１】
2008242583.tif 000003
【図２】
2008242583.tif 000004
【図３】
2008242583.tif 000005
【図４】
2008242583.tif 000006
【図５】
2008242583.tif 000007
【図６】
2008242583.tif 000008